(57)【要約】【課題】  吐出ノズルの吐出口にメッシュ部材を装着し、内容液の吐出時の飛び散りを防止するようにした液吐出容器を提供すること。【解決手段】  液吐出容器の吐出ノズルとして、吐出ノズルを具えたポンプヘッドを装着したポンプを、容器口部に取着した液吐出容器において、吐出ノズルの吐出口をメッシュで覆い、液の飛散を防止するようにしたことを特徴とする。【選択図】  図１
2008029999.tif 000002
【特許請求の範囲】
【請求項１】
吐出ノズルを具えたポンプヘッドを装着したポンプを、容器口部に取着した液吐出容器において、
吐出ノズルの吐出口をメッシュで覆い、液の飛散を防止するようにしたことを特徴とする液吐出容器の吐出ノズル。
【請求項２】
吐出ノズルを、ポンプヘッドに設けた取付部に嵌着したことを特徴とする請求項１記載の液吐出容器の吐出ノズル。
【請求項３】
吐出ノズルのノズル筒部先端に、端面にメッシュを取着したメッシュリングを取着したことを特徴とする請求項１記載の液吐出容器の吐出ノズル。
【発明の詳細な説明】
【技術分野】
【０００１】
本発明は、液吐出容器の吐出ノズル、とくに吐出口にメッシュを被着するようにした吐出ノズルに関するものである。
【背景技術】
【０００２】
液吐出容器として、容器の口筒部に吐出ノズルを具えたポンプヘッドを装着したポンプを取着した液吐出容器は、従来より周知である。
また、誤操作や、容器の転倒などによるポンプヘッドの押圧によってポンプが作動し、吐出ノズルから内容液が吐出されることを防止した液吐出容器も、従来より知られている（例えば、特許文献１、特許文献２参照）。
【特許文献１】実公平７−２３４１７号公報
【特許文献２】実用新案登録第２５５４０４号公報
【発明の開示】
【発明が解決しようとする課題】
【０００３】
しかしながら、従来周知の液吐出容器では、粘性の少ない液の場合、ポンプヘッドを強く押すと、ノズルの吐出口から液体が周囲に飛散するという問題があった。
また、容器を転倒したときに、ノズルヘッドやステム内に滞留している内容液がノズルの吐出口より飛び出すという問題があった。
【０００４】
前記特許文献１、２記載の技術では、誤操作や容器の転倒などによる不用意な吐出を防止することはできるが、構造が複雑になり、生産コストが高くつくという問題があった。
また、ポンプヘッドを強く押した場合の液の飛散という前記問題点を解決することはできなかった。
【０００５】
本発明は、上記の問題点を解決することを課題とし、吐出ノズルの吐出口にメッシュ部材を装着し、内容液の吐出時の飛び散りを防止するようにした液吐出容器を提供することを目的とする。
【課題を解決するための手段】
【０００６】
本発明は、上記の課題を解決するため、液吐出容器の吐出ノズルとして、吐出ノズルを具えたポンプヘッドを装着したポンプを、容器口部に取着した液吐出容器において、吐出ノズルの吐出口をメッシュで覆い、液の飛散を防止するようにしたことを特徴とする構成を採用する。
【０００７】
吐出ノズルの実施例として、吐出ノズルを、ポンプヘッドに設けた取付部に嵌着したことを特徴とする構成、或いは、吐出ノズルのノズル筒部先端に、端面にメッシュを取着したメッシュリングを取着したことを特徴とする構成を採用する。
【発明の効果】
【０００８】
吐出ノズルの吐出口を覆うようにメッシュを配設しているので、内容液の吐出時に、ポンプヘッドを強く押圧しても、メッシュで吐出速度が抑えられるので、吐出口から飛散することはない。
また、容器が転倒した場合にも、メッシュにより吐出が抑えられるので、内容液は飛散しない。
【発明を実施するための最良の形態】
【０００９】
次に、本発明の実施形態について、実施例をあげ、図面を参照して説明する。
【実施例１】
【００１０】
図１において、Ａは容器、Ｂはポンプ取付キャップ、Ｃは取付キャップＢによって容器口部に取付けられたポンプ、Ｄは吐出ノズルを具えたポンプヘッドである。
容器Ａには、内容液として、化粧料、薬液、洗剤等が収納されている。
容器Ａは、口部１と胴部２、底部とからなり、口部１にはねじが螺設されている。
【００１１】
ポンプ取付キャップＢは、頂壁３と、内周にねじを螺設した側周壁４とを具えており、頂壁３の上面には、ポンプＣの上下動を案内する案内筒５が設けられ、取付キャップＢは、ポンプＣを容器口部１に取付けるようにしている。  
【００１２】
ポンプＣは、従来より公知のものと同様に、シリンダー部材とピストン部材とからなり、ピストン部材には、ステム６が装着され、ステム６の上端には、ポンプヘッドＤが取着されている。
【００１３】
図２に示すように、ポンプヘッドＤは、頂壁１０と側周壁１１、頂壁１０中央から垂設された内筒１２とを具えており、側周壁１１の所定の箇所には、ノズル取付部１３が設けられている。
内筒１２からノズル取付部１３にかけて液の流路１４が形成されており、ノズル取付部１３には、ポンプヘッドＤとは別体に成形された吐出ノズル１５の取付口１６が穿設されている。
【００１４】
吐出ノズル１５は、取付口１６に装着される膨出環１７を設けた取付部１８と、ノズル孔１９が穿孔されたノズル筒部２０とから形成され、ノズル筒部２０の吐出口２１には、メッシュ２２が張着されている。
吐出ノズル１５は、前述のように、ポンプヘッドＤとは別体に成形され、メッシュ２２は、ノズル筒部２０の先端面に接着、または溶着、或いはインサート成形によって貼着されている。
【００１５】
ポンプＣは、従来公知のものと同様に、ポンプヘッドＤを押下げ操作することによってピストン部材が上下動し、内容液を容器Ａ内からシリンダーに吸上げ、吐出ノズル１５より吐出するようになっている。
【００１６】
次に、本実施例の吐出ノズルについての作用効果について説明する。
液吐出容器の使用にあたって、ノズルヘッドＤを押下げ操作すると、公知のものと同様に、内容液を吐出ノズル１５より吐出することができる。
その際、押下げ速度が速いと、吐出の刷り内の流速が早くなり、吐出口から吐出方向が一定せずに飛散するということがあるが、本実施例では、吐出口２１にメッシュ２２がかけられているので、吐出速度が弱められ、均一となるので、吐出方向が全面にわたって均一になり、飛び散ることがなくなった。
【００１７】
また、容器Ａを転倒した場合に、ノズル孔１９内、流路１４、ステム６内に滞留している内容液が、吐出ノズル１５の吐出口２１に殺到するが、メッシュ２２によって吐出速度がおそくされ、飛び散ることが防止される。
【実施例２】
【００１８】
次に、ポンプヘッドの構成を変更した第２実施例について説明する。
第１実施例と同一の構成については、同一の符号をもって図示して説明を省略し、ポンプヘッドの構成のみを説明する。
【００１９】
図３において、ポンプヘッドＤａは、頂壁１０ａと側周壁１１ａと内筒１２ａとを具えており、側周壁１１ａの所定の位置には、吐出ノズル２５が突設されている。
吐出ノズル２５の内部には、液の流路１４ａに連通するノズル孔２６が穿孔され、ノズル筒部２７の先端部は、縮径され、メッシュリング２８の取付部２９となっている。
【００２０】
メッシュリング２８は、取付筒３０と、その先端に設けられ、ノズル孔２６の吐出口２６ａと同径とされた環状板３１、および環状板３１の端面に取着されたメッシュ３２とからなっている。
メッシュ３２は、接着、溶着、或いはインサート成形によって環状板３１の端面に貼着されている。
【００２１】
次に、本実施例の作用効果について説明すると、吐出ノズル２５の先端にメッシュリング２８を被嵌することによって、メッシュ３２をノズル孔２６の吐出口２６ａに位置させることができるので、第１実施例と同様の作用効果を得ることができる。
また、メッシュリング２８は、ノズル筒部２７先端に被嵌されるので、取り替えが容易にでき、内容液に応じて、メッシュの粗さを変えたものを用意して着け替えることもできる。  
【００２２】
上記実施例では、メッシュリング２８をノズル筒部２７先端の外周に被嵌するようにしたが、ノズル筒部先端の内周に拡径部を形成し、メッシュリング２８を嵌挿して取着するようにしてもよい。
【００２３】
次に、各実施例に共通して、メッシュの粗さと、内容液の粘度に関係する作用効果について、試験を通じて確かめた。
容器として、容量１８０ｍｌ、ノズル径３．２ｍｍφの吐出容器を用い、内容液として化粧水を用いて試験した。
化粧水として、清浄用を始め、種々のものがあるが、粘度１〜５０ｃＰの範囲のものを使用し、粘度に応じて繰り返して試験した。
また、メッシュとして、ＰＥＴ、ナイロン等を素材としたものを使用し、メッシュの粗さを１５０メッシュまで４０メッシュ毎に変化させて試験した。
【００２４】
【表１】
2008029999.tif 000003
【００２５】
試験の結果から、転倒時の液垂れについては、メッシュの粗さに関係なく、全ての場合に防止することができた。
吐出時の飛散については、１１０メッシュ以上では、完全に防止することができたが、７０メッシュの場合では、押下げ操作によっては飛散することがあった。
３０メッシュでは、飛散を防ぐことはできなかった。
【００２６】
試験の結果からみると、メッシュの粗さについては、７０〜１１０メッシュの間で、１１０メッシュに近い１００メッシュ以上であれば、飛散を防止できる。
【産業上の利用可能性】
【００２７】
吐出ノズルの吐出口にメッシュを配設し、吐出時、或いは容器転倒時における吐出口からの内容液の飛散を防止できるので、内容液が液状ばかりでなく、粘性液の場合でも広く利用できる。
【図面の簡単な説明】
【００２８】
【図１】本願発明第１実施例の一部断面説明図である。
【図２】ポンプヘッドの分解図である。
【図３】第２実施例の一部断面説明図である。
【符号の説明】
【００２９】
Ａ            容器
Ｂ            取付キャップ
Ｃ            ポンプ
Ｄ、Ｄａ      ポンプヘッド
１            口部
２            胴部
３、１０、１０ａ  頂壁
４、１１、１１ａ  側周壁
５            案内筒
６            ステム
１２          内筒
１３          ノズル取付部
１４          流路
１５、２５    吐出ノズル
１６          取付口
１７          膨出環
１８、２９    取付部
１９、２６    ノズル孔
２０、２７    ノズル筒部
２１、２６ａ  吐出口
２２、３２    メッシュ
２８          メッシュリング
３０          取付筒
３１          環状板
【図１】
2008029999.tif 000004
【図２】
2008029999.tif 000005
【図３】
2008029999.tif 000006